(57)【要約】【課題】非可視光光源からの光の損失を抑えることが可能なバックライトおよびこれを用いた表示撮像装置を提供する。【解決手段】導光板６１の側面に、可視光光源である白色光源として白色ＬＥＤ６２Ｗと、非可視光光源である赤外光光源としてＩＲＬＥＤ６２ＩＲとを配設する。導光板６１の背面６１Ｂ側に、第１反射フィルム８１および第２反射フィルム８２を設ける。第１反射フィルム８１は、白色ＬＥＤ６２Ｗからの光ＬWを反射すると共にＩＲＬＥＤ６２ＩＲからの光ＬIRを透過する。第２反射フィルム８２は、白色ＬＥＤ６２ＷおよびＩＲＬＥＤ６２ＩＲのうち少なくともＩＲＬＥＤ６２ＩＲからの光ＬIRを反射する。導光板６１の背面６１Ｂから下方へ出射した赤外光ＬIRは、第１反射フィルム８１を透過し、第２反射フィルム８２によって反射されて再び導光板６１の内部に入射する。【選択図】図５
2010231944.tif 000002
【特許請求の範囲】
【請求項１】
光出射面および前記光出射面に対向する背面を有する導光板と、
前記導光板の側面に配置された可視光光源と、
前記導光板の側面に配置された非可視光光源と、
前記導光板の背面側に配置され、前記可視光光源からの光を反射すると共に前記非可視光光源からの光を透過する第１反射フィルムと、
前記導光板の背面側に配置され、前記可視光光源および前記非可視光光源のうち少なくとも前記非可視光光源からの光を反射する第２反射フィルムと
を備えたバックライト。
【請求項２】
前記第２反射フィルムは、前記可視光光源および前記非可視光光源からの光を反射するものであり、前記第１反射フィルムの光反射面とは反対の背面側に配置されている
請求項１記載のバックライト。
【請求項３】
前記第２反射フィルムは、前記可視光光源からの光を透過すると共に前記非可視光光源からの光を反射するものである
請求項１記載のバックライト。
【請求項４】
前記可視光光源は白色光源であり、前記非可視光光源は赤外光光源である
請求項１記載のバックライト。
【請求項５】
表示素子および受光素子を有する入出力パネルと、
前記入出力パネルに光を照射するバックライトと
を備え、
前記バックライトは、
光出射面および光出射面に対向する背面を有する導光板と、
前記導光板の側面に配置された可視光光源と、
前記導光板の側面に配置された非可視光光源と、
前記導光板の背面側に配置され、前記可視光光源からの光を反射すると共に前記非可視光光源からの光を透過する第１反射フィルムと、
前記導光板の背面側に配置され、前記可視光光源および前記非可視光光源のうち少なくとも前記非可視光光源からの光を反射する第２反射フィルムと
を備えた表示撮像装置。
【発明の詳細な説明】
【技術分野】
【０００１】
本発明は、バックライトおよびこれを備えた表示撮像装置に関する。
【背景技術】
【０００２】
従来、液晶または有機ＥＬなどの表示装置の一部または各画素に、一つの表示素子を含む表示セルと、一つの受光素子を含む受光セルとを形成し、表示動作と共に受光動作も可能としたものがある（例えば、特許文献１参照。）。受光セルは、受光素子として例えばフォトダイオードなどの光電変換素子と、スイッチング素子としてのＴＦＴ（Thin Film Transistor；薄膜トランジスタ）とを含んで構成された光センサ回路である。このような表示撮像装置では、受光セルの出力による情報を入力または空間位置検出に用いている。
【先行技術文献】
【特許文献】
【０００３】
【特許文献１】特開２００６−１２７２１２号公報
【発明の概要】
【発明が解決しようとする課題】
【０００４】
液晶を用いた表示撮像装置の場合には、黒表示でも位置検出を可能とするため、赤外光などの非可視光光源を有するバックライトを用いることが望ましい。しかしながら、従来のバックライトでは、導光板，反射フィルムまたはレンズフィルムなどの光学部材は、白色を効率よく導光板の表面に取り出すように作られており、非可視光については良好な特性が得られない場合があった。例えば、反射フィルムでは、非可視光の反射率が極めて低いので、非可視光が反射されず透過してしまい、損失が大きくなってしまっていた。
【０００５】
本発明はかかる問題点に鑑みてなされたもので、その目的は、非可視光光源からの光の損失を抑えることが可能なバックライトおよびこれを用いた表示撮像装置を提供することにある。
【課題を解決するための手段】
【０００６】
本発明のバックライトは、以下の（Ａ）〜（Ｅ）の構成要件を備えたものである。
（Ａ）光出射面および光出射面に対向する背面を有する導光板
（Ｂ）導光板の側面に配置された可視光光源
（Ｃ）導光板の側面に配置された非可視光光源
（Ｄ）導光板の背面側に配置され、可視光光源からの光を反射すると共に非可視光光源からの光を透過する第１反射フィルム
（Ｅ）導光板の背面側に配置され、可視光光源および非可視光光源のうち少なくとも非可視光光源からの光を反射する第２反射フィルム
【０００７】
本発明の表示撮像装置は、表示素子および受光素子を有する入出力パネルと、入出力パネルに光を照射するバックライトとを備え、バックライトは、上記本発明のバックライトにより構成されているものである。
【０００８】
本発明のバックライトでは、導光板の背面側に、可視光光源からの光を反射すると共に非可視光光源からの光を透過する第１反射フィルムと、可視光光源および非可視光光源のうち少なくとも非可視光光源からの光を反射する第２反射フィルムとが設けられているので、非可視光光源からの光は、導光板の背面側に出射した場合でも、第２反射フィルムで反射されて再び導光板の背面に入射する。よって、非可視光光源からの光が第１反射フィルムを透過してしまった場合でも、非可視光光源からの光の損失が抑えられる。一方、可視光光源からの光は、第１反射フィルムで反射されて導光板の背面に入射する。
【０００９】
本発明の表示撮像装置では、本発明のバックライトを備えているので、バックライトにおける非可視光の損失が抑えられている。よって、消費電力が削減される。
【発明の効果】
【００１０】
本発明のバックライトによれば、導光板の背面側に、可視光光源からの光を反射すると共に非可視光光源からの光を透過する第１反射フィルムと、可視光光源および非可視光光源のうち少なくとも非可視光光源からの光を反射する第２反射フィルムとを設けるようにしたので、非可視光光源からの光の損失を抑えることが可能となる。よって、このバックライトを用いて表示撮像装置を構成すれば、消費電力の削減が可能となる。
【図面の簡単な説明】
【００１１】
【図１】本発明の一実施の形態に係る表示撮像装置の全体構成を表すブロック図である。
【図２】図１に示した入出力パネルの構成を表す平面図である。
【図３】図３に示した入出力パネルの構成を表す断面図である。
【図４】図１に示したバックライトの構成を表す斜視図である。
【図５】図４に示したバックライトの構成を表す断面図である。
【図６】図４に示した第１反射フィルムおよび第２反射フィルムの垂直方向の反射率を調べた結果を表す図である。
【図７】図４に示した第１反射フィルムおよび第２反射フィルムの反射率と入射角度との関係を調べた結果を表す図である。
【図８】図７に示した第１反射フィルムおよび第２反射フィルムの反射率と入射角度との関係の測定方法を説明するための図である。
【図９】図４に示したバックライトの導光板の表面（光出射面）における赤外光強度を調べた結果を表す図である。
【図１０】変形例に係るバックライトの構成を表す断面図である。
【発明を実施するための形態】
【００１２】
以下、本発明の実施の形態について、図面を参照して詳細に説明する。なお、説明は以下の順序で行う。
（１）一実施の形態（第２反射フィルムが可視光・非可視光のいずれも反射する場合）
（２）変形例（第２反射フィルムが可視光を透過し、非可視光を反射する場合で、導光板の背面側に第２反射フィルムおよび第１反射フィルムをこの順に設けた例）
【００１３】
＜一実施の形態＞
図１は、本発明の一実施の形態に係る表示撮像装置の概略構成を表したものである。この表示撮像装置は、液晶テレビなどの中型ないし大型の表示装置、または携帯電話機あるいはゲーム機などのモバイル用途に用いられるものであり、例えば、入出力パネル１およびバックライト２を有している。また、この表示撮像装置は、表示信号生成部２１，表示信号保持制御部２２，表示側スキャナ２３，表示信号ドライバ２４，受光制御部３１，受光側スキャナ３２，受光信号レシーバ３３，受光信号保持部３４および位置検出部３５を有している。
【００１４】
入出力パネル１は、複数の画素１１が全面にわたりマトリクス状に配置され、線順次動作をしながら所定の図形や文字などの画像を表示するものである。各画素１１は、一つの表示素子を含む表示セルＣＷと、一つの受光素子を含む受光セルＣＲとを有する表示受光セルＣＷＲにより構成されている。
【００１５】
バックライト２は、入出力パネル１に光を照射する光源である。バックライト２の構成については後述する。
【００１６】
表示信号生成部２１は、図示しないＣＰＵ（Central Processing Unit ）などにより生成され、ＣＰＵから供給されたデータに基づいて、例えば１画面ごと（１フレームごと）に、画面（フレーム）を表示するための表示信号を生成するものである。表示信号生成部２１は、生成した表示信号を表示信号保持制御部２２に供給する。
【００１７】
表示信号保持制御部２２は、表示信号生成部２１から供給された表示信号を１画面ごと（１フレームごと）に、例えばＳＲＡＭ（Static Random Access Memory ）などから構成されるフレームメモリに格納して保持するものである。また、表示信号保持制御部２２は、各表示セルＣＷを駆動する表示側スキャナ２３および表示信号ドライバ２４の動作を制御する。具体的には、表示信号保持制御部２２は、表示側スキャナ２３に、表示のタイミングを指示する表示タイミング制御信号４１を供給すると共に、表示信号ドライバ２４に、フレームメモリに保持されている表示信号に基づいて、１水平ライン分の表示信号を供給する。更に、表示信号保持制御部２２は、バックライト２に点灯タイミング制御信号４２を供給することにより、バックライト２の発光のタイミングを制御する。加えて、表示信号保持制御部２２は、後述する受光制御部３１の動作タイミングを制御する。具体的には、表示信号保持制御部２２は、受光制御部３１に、フレームのタイミングを示す垂直同期信号４３、バックライト２が点灯されたか否かを示す信号、および、入出力パネル１の全体の表示用選択信号の走査が終了したか否かを示す信号を供給する。
【００１８】
表示側スキャナ２３は、表示信号保持制御部２２から出力される表示タイミング制御信号４１に応じて駆動対象の表示セルＣＷを選択する。具体的には、表示側スキャナ２３は、入出力パネル１の各画素１１に接続された表示用ゲート線を介して表示用選択信号を供給する。
【００１９】
表示信号ドライバ２４は、表示信号保持制御部２２から出力される１水平ライン分の表示信号に応じて駆動対象の表示セルＣＷに表示データを供給するものである。具体的には、表示信号ドライバ２４は、入出力パネル１の各画素１１に接続されたデータ供給線を介して、表示側スキャナ２３により選択された画素１１に表示データに対応する電圧を供給する。
【００２０】
受光制御部３１は、入出力パネル１全体の受光動作を制御するものである。具体的には、受光制御部３１には、表示信号保持制御部２２から、垂直同期信号４３、バックライト２が点灯されたか否かを示す信号、および、入出力パネル１の全体の表示用選択信号の走査が終了したか否かを示す信号が供給される。受光制御部３１は、これらの信号のいずれかに基づいて、受光側スキャナ３２に受光タイミング制御信号４４を供給する。
【００２１】
受光側スキャナ３２は、受光制御部３１から出力される受光タイミング制御信号４４に応じて駆動対象の受光セルＣＲを選択するものである。受光側スキャナ３２は、入出力パネル１の各画素１１に接続されている受光用ゲート線を介して、各画素１１に受光用選択信号を供給する。また、受光側スキャナ３２は、受光信号レシーバ３３および受光信号保持部３４に対して、受光ブロック制御信号４５を出力することにより、受光信号レシーバ３３および受光信号保持部３４を制御するものである。
【００２２】
受光信号レシーバ３３は、受光側スキャナ３２から出力される受光ブロック制御信号４５に応じて、各受光セルＣＲから出力された１水平ライン分の受光信号を取得する。また、受光信号レシーバ３３は、取得した１水平ライン分の受光信号を、受光信号保持部３４に出力する。
【００２３】
受光信号保持部３４は、受光側スキャナ３２から出力される受光ブロック制御信号４５に応じて、受光信号レシーバ３３から出力される受光信号を１画面ごと（１フレームの表示ごと）の受光信号に再構成し、例えばＳＲＡＭなどにより構成されるフレームメモリに格納して保持する。受光信号保持部３４に格納された受光信号のデータは、位置検出部３５へ出力される。なお、受光信号保持部３４はメモリ以外の記憶素子により構成されていてもよく、例えば受光信号のデータをアナログデータとして保持しておくことも可能である。
【００２４】
位置検出部３５は、受光信号保持部３４から出力される受光信号のデータに基づいて信号処理を行い、受光セルＣＲにおいて検出されたものが存在する位置を特定する。これにより、接触あるいは近接するもの（例えば、使用者の指）の位置を特定することが可能となる。なお、受光信号保持部３４が受光信号のデータをアナログデータとして格納している場合には、位置検出部３５においてアナログ／デジタル（Ａ／Ｄ）変換を行ったのちに信号処理を実行する。
【００２５】
なお、表示信号保持制御部２２および受光制御部３１には、必要に応じてドライブ（図示せず）がインタフェース（図示せず）を介して接続されていてもよい。このドライブには、装着された磁気ディスク，光ディスク，光磁気ディスクまたは半導体メモリ等に記録されたプログラムを読み出し、表示信号保持制御部２２または受光制御部３１に供給して実行させるものである。
【００２６】
図２（Ａ）または図２（Ｂ）、および図３は、入出力パネル１の平面構成および断面構成をそれぞれ概略的に表したものである。この入出力パネル１は、一対の偏光板１１１Ａ，１１１Ｂと、一対の透明基板１１２Ａ，１１２Ｂと、平坦化膜１１３Ａ，１１３Ｂと、液晶層１１４とを含んで構成されている。透明基板１１２Ａの偏光板１１１Ａが設けられた側、すなわち入出力パネル１の背面側には、バックライト２が配置されている。
【００２７】
透明基板１１２Ａは、例えば、ＴＦＴ（Thin Film Transistor；薄膜トランジスタ）や各種駆動回路および画素電極等が形成されたＴＦＴ基板であり、透明基板１１２Ｂは、カラーフィルタや対向電極等が形成された対向基板である。偏光板１１１Ａ，１１１Ｂは、互いに偏光軸が直交するように貼り合わされている。平坦化膜１１３Ａ，１１３Ｂは、後述する受光センサ１１５またはカラーフィルタ１１６が設けられた透明基板１１２Ａ，１１２Ｂの表面を平坦化するものである。液晶層１１４は、平坦化膜１１３Ａ，１１１３Ｂの間に設けられている。
【００２８】
また、この入出力パネル１は、例えば、各画素ごとに表示領域５１と、可視光である白色光を受光する可視光受光領域５２とが設けられると共に、画面の一部に、非可視光である赤外光を受光する非可視光受光領域５３が設けられている。表示領域５１，可視光受光領域５２および非可視光受光領域５３の配置は特に限定されず、図２（Ａ）または図２（Ｂ）のいずれでもよい。
【００２９】
表示領域５１には、各画素に対応して、赤色用のカラーフィルタ１１６Ｒと、緑色用のカラーフィルタ１１６Ｇと、青色用のカラーフィルタ１１６Ｂと（以下、カラーフィルタ１１６と総称する。）が設けられている。カラーフィルタ１１６は、例えば、透明基板１１２Ｂと平坦化膜１１３Ｂとの間に配置されている。
【００３０】
可視光受光領域５２には、各画素に対応して、受光センサ１１５と、赤色用のカラーフィルタ１１６Ｒと、緑色用のカラーフィルタ１１６Ｇと、青色用のカラーフィルタ１１６Ｂと、ブラックマトリクスＢＭとが形成されている。受光センサ１１５は、赤色用のカラーフィルタ１１６Ｒ、緑色用のカラーフィルタ１１６Ｇまたは青色用のカラーフィルタ１１６Ｂのいずれか一つと組み合わされることにより、互いに波長領域の異なる光を受光可能な複数種類の受光センサ１１５Ｒ，１１５Ｇ，１１５Ｂとしての機能を有している。具体的には、受光センサ１１５Ｒは、赤色光を受光可能であり、受光センサ１１５Ｇは、緑色光を受光可能であり、受光センサ１１５Ｂは、青色光を受光可能である。なお、受光センサ１１５Ｄは、ダミーセンサである。受光センサ１１５は、透明基板１１２Ａと平坦化膜１１３Ａとの間に配置されている。カラーフィルタ１１６およびブラックマトリクスＢＭは、透明基板１１２Ｂと平坦化膜１１３Ｂとの間に配置されている。
【００３１】
非可視光受光領域５３には、非可視光である赤外光を受光するＩＲセンサ１１５ＩＲと、可視光をカットすると共に赤外光のみを透過するＩＲフィルタ１１６ＩＲとが形成されている。ＩＲフィルタ１１６ＩＲは、例えば、カラーフィルタのＲＢもしくはＲＧＢを積層することにより実現することが可能である。ＲＢ積層よりもＲＧＢ積層のほうが可視光をカットする性能が高く、図３ではＲＧＢ積層フィルタを用いた場合を表している。
【００３２】
図４および図５は、バックライト２の構成を表したものである。バックライト２は、例えば、平行平板状の導光板６１の側面に、可視光光源である白色光源として白色ＬＥＤ６２Ｗと、非可視光光源である赤外光光源としてＩＲＬＥＤ６２ＩＲとが配設されたものである。
【００３３】
導光板６１は、例えば、ポリカーボネート、ポリエチレンテレフタレートにより構成され、光出射面（上面）６１Ａおよびこの光出射面６１Ａに対向する背面６２Ｂを有している。導光板６１の背面６１Ｂには、光取り出し用の加工として、例えば複数の溝６１Ｃが形成されている。この溝６１Ｃにより、導光板６１中を伝播する光は、その全反射条件が崩され（臨界角以下となり）、導光板６１の光出射面６１Ａから出射するようになっている。
【００３４】
導光板６１の光出射面６１Ａ側、すなわちバックライト２と入出力パネル１との間には、拡散板７１、拡散フィルム７２、レンズフィルム７３などの光学部材が配置されている。拡散板７１は、裏面からの入射光を拡散して強度分布を均一化するものであり、例えばポリカーボネート、ポリエチレンテレフタレートなどにより構成されている。拡散フィルム７２は、入射光を拡散して強度分布を均一化するものである。レンズフィルム７３は、例えばプリズム状（三角柱状）の突起が同一面内に複数並列したものであり、入射光を例えば正面方向に集光する機能を有する。
【００３５】
導光板６１の背面６１Ｂ側には、第１反射フィルム８１および第２反射フィルム８２が設けられている。第１反射フィルム８１は、白色ＬＥＤ６２Ｗからの光（白色光）ＬWを反射すると共にＩＲＬＥＤ６２ＩＲからの光（赤外光）ＬIRを透過するものである。第２反射フィルム８２は、白色ＬＥＤ６２ＷおよびＩＲＬＥＤ６２ＩＲのうち少なくともＩＲＬＥＤ６２ＩＲからの光ＬIRを反射するものである。これにより、この表示撮像装置では、ＩＲＬＥＤ６２ＩＲからの光ＬIRの損失を抑えることが可能となっている。
【００３６】
具体的には、第２反射フィルム８２は、白色ＬＥＤ６２ＷおよびＩＲＬＥＤ６２ＩＲからの光ＬW，ＬIRを反射するものであり、第１反射フィルム８１の光反射面とは反対の背面側に配置されている。
【００３７】
第１反射フィルム８１は、例えば、ポリエステルなどよりなる光学多層反射膜（例えば「ＥＳＲ（商品名）」）により構成され、多層膜の厚みを制御することにより可視光に対する反射率が高くなっているものである。第２反射フィルム８２は、例えば、白ＰＥＴ板の表面に蒸着などにより銀（Ａｇ）層を形成したものである。
【００３８】
図６は、第１反射フィルム８１および第２反射フィルム８２の垂直方向の反射率を調べた結果を表したものである。なお、図６には、銀層を有しない白ＰＥＴ板および標準白色板の垂直方向反射率を併せて示す。
【００３９】
図６から分かるように、第１反射フィルム８１または第２反射フィルム８２に対して垂直に入射する光は、白色光も赤外光もほぼ１００％に近い反射率を示し、ほとんど差はない。
【００４０】
図７は、第１反射フィルム８１および第２反射フィルム８２の赤外光（波長８５０ｎｍ）に対する透過率と入射角度との関係を調べた結果を表したものである。測定は、図８に示したようにして行った。まず、図８（Ａ）に示したように、波長８５０ｎｍの砲弾型ＬＥＤよりなるＩＲＬＥＤ６２ＩＲを用意し、このＩＲＬＥＤ６２ＩＲからの光ＬIRの出力を測定した。その際、パワーメータのディテクター９１は縦に配置し、ＩＲＬＥＤ６２ＩＲとディテクター９１との距離Ｄは３０ｍｍとした。次いで、図８（Ｂ）に示したように、ディテクター９１の前に、第１反射フィルム８１、第２反射フィルム８２またはその両方をおいて測定し、反射フィルムのある場合とない場合との比率を求めた。第１反射フィルム８１としては、ポリエステルなどよりなる光学多層反射膜である「ＥＳＲ（商品名）」について、厚みの異なるものを２種類用いた。図７では、図６の測定で用いたものと同じ厚みのものを「ＥＳＲ」、それよりも薄いものを「Ｔｈｉｎ  ＥＳＲ」と表している。第２反射フィルム８２としては、白ＰＥＴ板の表面に蒸着により銀（Ａｇ）層を形成したものについて、銀層の厚みの異なるものを２種類用いた。図７では、図６の測定で用いたものと同じ厚みのものを「Ａｇ」、それよりも薄いものを「Ｔｈｉｎ  Ａｇ」と表している。続いて、図８（Ｃ）および図８（Ｄ）に示したように、ディテクター９１を５度ずつ回転させて同様の測定を繰り返した。
【００４１】
図７から分かるように、第１反射フィルム８１については、入射角度が大きくなっていくに従い、透過率が高くなっていた。特に入射角度が７０度以上の場合、透過率が５０％に達していた。このことから、第１反射フィルム８１の赤外光に対する反射率の低下は、赤外光が透過してしまっていることが原因であることが判明した。導光板６１から背面６１Ｂ側へ出射する光はおよそ６０度〜７０度程度の角度であり、導光板６１の光出射面６１Ａにおける赤外光強度を上げるためには、６０度〜７０度方向の光の反射率が重要になる。しかしながら、第１反射フィルム８１は、６０度〜７０度で入射する赤外光に対する反射率が低いので、導光板６１の光出射面６１Ａにおける赤外光強度が低くなってしまっていた。
【００４２】
図７では、第１反射フィルム８１として図７で用いた２種類の「ＥＳＲ」のうち厚みの薄いものと、第２反射フィルム８２として図７で用いた２種類の銀層のうち厚みの薄いものとを併用して反射率と入射角度との関係を調べた結果（Ｔｈｉｎ  ＥＳＲ＋Ｔｈｉｎ  Ａｇ）を併せて示す。この結果から分かるように、第１反射フィルム８１および第２反射フィルム８２を両方用いた場合には、入射角度を変えても透過率は低く抑えられ、６０度〜７０度での反射率の低下は見られなかった。
【００４３】
図９は、図５に示したような第１反射フィルム８１および第２反射フィルム８２を備えたバックライト２について、導光板６１の光出射面６１Ａにおける赤外光強度を調べた結果を、第１反射フィルム８１のみを配置した場合と比較して表す図である。図９から分かるように、第１反射フィルム８１および第２反射フィルム８２を配置した場合には、第１反射フィルム８１のみを配置した場合と比較して、導光板６１の光出射面６１Ａにおける赤外光強度を約３８％高くすることができた。
【００４４】
この表示撮像装置は、例えば、白ＰＥＴ板の表面に蒸着などにより銀層を形成して第２反射フィルム８２とし、この第２反射フィルム８２を第１反射フィルム８１の背面側に配置することを除いては、通常の液晶表示撮像装置の製造方法により製造することができる。
【００４５】
この表示撮像装置では、表示側スキャナ２３から、所定の画素１１に表示用選択信号が印加されると、その画素１１において、表示信号ドライバ２４から供給された電圧に対応した表示動作がなされる。このような表示側スキャナ２３および表示信号ドライバ２４による線順次動作により、任意の表示データに対応する画像が入出力パネル１に表示される。
【００４６】
また、受光制御部３１から出力される受光タイミング制御信号４４に応じて、受光側スキャナ３２から所定の画素１１に受光用選択信号が供給されると、その画素１１から、その画素１１の受光センサ１１５によって検出された光量に対応する受光信号が受光信号レシーバ３３に出力される。この受光信号は、受光信号保持部３４において１画面ごと（１フレームごと）の受光信号に再構成され、フレームメモリに格納されると共に、位置検出部３５に出力される。位置検出部３５では、受光信号保持部３４から出力された受光信号のデータに基づいて信号処理を行い、受光セルＣＲにおいて検出されたものが存在する位置を特定する。これにより、接触または近接するものの位置を特定することが可能となる。
【００４７】
その際、バックライト２では、白色ＬＥＤ６２Ｗから発せられた光ＬWが導光板６１の内部へ入射すると、この光ＬWの一部は、導光板６１内を全反射により伝播したのち、溝６１Ｃによって導光板６１の光出射面６１Ａから上方へ出射する。また、光ＬWの一部は、溝６１Ｃによって導光板６１の背面６１Ｂから下方へ出射するが、この出射光は第１反射フィルム８１によって反射されて再び導光板６１の内部に入射する。
【００４８】
導光板６１の光出射面６１Ａから上方へ出射した光ＬWは、拡散板７１，拡散フィルム７２およびレンズフィルム７３を順に通過して、入出力パネル１を照射する。このようにして入出力パネル１に照射された光ＬWが、入出力パネル１において上述したように表示データに基づいて変調されることにより、画像表示が行われる。また、この光ＬWが、入出力パネル１に接触または近接するものによって反射されると、上述したように、反射光の光量が受光センサ１１５によって検出され、位置検出が行われる。
【００４９】
一方、バックライト２のＩＲＬＥＤ６２ＩＲから発生した光ＬIRが導光板６１の内部へ入射すると、この光ＬIRの一部は、導光板６１内を全反射により伝播したのち、溝６１Ｃによって導光板６１の光出射面６１Ａから上方へ出射する。また、光ＬIRの一部は、溝６１Ｃによって導光板６１の背面６１Ｂから下方へ出射する。
【００５０】
ここでは、導光板６１の背面６１Ｂ側に、白色ＬＥＤ６２Ｗからの光ＬWを反射すると共にＩＲＬＥＤ６２ＩＲからの光ＬIRを透過する第１反射フィルム８１と、少なくともＩＲＬＥＤ６２ＩＲからの光ＬIRを反射する第２反射フィルム８２とが設けられている。よって、導光板６１の背面６１Ｂから下方へ出射した光ＬIRは、第１反射フィルム８１を透過し、第２反射フィルム８２によって反射されて再び導光板６１の内部に入射する。よって、ＩＲＬＥＤ６２ＩＲからの光ＬIRが第１反射フィルム８１を透過してしまった場合でも、ＩＲＬＥＤ６２ＩＲからの光ＬIRの損失が抑えられる。
【００５１】
導光板６１の光出射面６１Ａから上方へ出射した光ＬIRは、拡散板７１，拡散フィルム７２およびレンズフィルム７３を順に通過して、入出力パネル１を照射する。このようにして入出力パネル１に照射された光ＬIRが、入出力パネル１に接触または近接するものによって反射されると、上述したように、反射光の光量がＩＲセンサ１１５ＩＲによって検出され、位置検出が行われる。
【００５２】
このように本実施の形態では、導光板６１の背面６１Ｂ側に、白色ＬＥＤ６２Ｗからの光ＬWを反射すると共にＩＲＬＥＤ６２ＩＲからの光ＬIRを透過する第１反射フィルム８１と、少なくともＩＲＬＥＤ６２ＩＲからの光ＬIRを反射する第２反射フィルム８２とを設けるようにしたので、ＩＲＬＥＤ６２ＩＲからの光ＬIRの損失を抑えることが可能となる。よって、このバックライト２を用いて表示撮像装置を構成すれば、消費電力の削減が可能となる。
【００５３】
（変形例）
なお、上記実施の形態では、第２反射フィルム８２が、白色ＬＥＤ６２ＷおよびＩＲＬＥＤ６２ＩＲからの光ＬW，ＬIRを反射するものである場合について説明したが、第２反射フィルム８２は、白色ＬＥＤ６２Ｗからの光ＬWを透過し、ＩＲＬＥＤ６２ＩＲからの光ＬIRを反射するものでもよい。具体的には、第２反射フィルム８２を、第１反射フィルム８１と同様に、ポリエステルなどよりなる光学多層反射膜により構成し、多層膜の厚みを制御することにより白色ＬＥＤ６２Ｗからの光ＬWを透過し、ＩＲＬＥＤ６２ＩＲからの光ＬIRを反射するようにすることが可能である。この場合、第２反射フィルム８２は、図５に示したように、第１反射フィルム８１の光反射面とは反対の背面側に配置してもよい。あるいは、図１０に示したように、導光板６１の背面６１Ｂ側に第２反射フィルム８２および第１反射フィルム８１をこの順に設けるようにしてもよい。
【００５４】
以上、本発明の実施の形態について説明したが、本発明はこれらの実施の形態等に限定されるものではなく、種々の変形が可能である。例えば、上記実施の形態では、第２反射フィルム８２が、例えば、白ＰＥＴ板の表面に蒸着などにより銀層を形成したものである場合について説明したが、第２反射フィルム８２は、第１反射フィルム８１と同様に、ポリエステルなどよりなる光学多層反射膜により構成することも可能である。その場合、多層膜の層数および厚みを制御することにより白色ＬＥＤ６２ＷおよびＩＲＬＥＤ６２ＩＲからの光ＬW，ＬIRを反射するようにすることが可能である。
【００５５】
また、例えば、上記実施の形態では、可視光光源として白色光源、非可視光光源として赤外光光源を用いたが、他の波長域の可視光光源または非可視光光源を用いることも可能である。更に、上記実施の形態では、白色光源として白色ＬＥＤ６２Ｗ、赤外光光源としてＩＲＬＥＤ６２ＩＲを用いた場合について説明したが、光源はＬＥＤに限らず他の光源を用いることも可能である。
【００５６】
加えて、例えば、上記実施の形態では、図２に示したように、１つの発光セルに対応して１つの受光セルを設ける場合について説明したが、複数の発光セルに対応して１つの受光セルを設けるようにしてもよい。
【００５７】
更にまた、例えば、上記実施の形態で説明した表示撮像装置では、入出力パネルとして、液晶ディスプレイパネルを用いた構成について説明した。しかしながら、本発明の表示撮像装置は、入出力パネルとして、有機エレクトロルミネッセンス（ＥＬ）パネル等を用いた構成にすることもできる。有機ＥＬ素子は、順方向バイアス電圧を印加すると発光動作をし、逆方向バイアス電圧を印加すると受光して電流を発生する性質を有する。このため、有機ＥＬ素子は、表示要素と受光要素とを有することになる。
【符号の説明】
【００５８】
１…表示撮像装置、２…バックライト、１１…画素、６１…導光板、６２Ｗ…白色ＬＥＤ、６２ＩＲ…ＩＲＬＥＤ、７１…拡散板、７２…拡散フィルム、７３…レンズフィルム、８１…第１反射フィルム、８２…第２反射フィルム
【図１】
2010231944.tif 000003
【図２】
2010231944.tif 000004
【図３】
2010231944.tif 000005
【図４】
2010231944.tif 000006
【図５】
2010231944.tif 000007
【図６】
2010231944.tif 000008
【図７】
2010231944.tif 000009
【図８】
2010231944.tif 000010
【図９】
2010231944.tif 000011
【図１０】
2010231944.tif 000012